(57)【要約】【課題】施設支柱を固定する作業の迅速性及び簡便性、効率性を図ることができ、コンクリート廃棄物の発生がなくて環境に優しく、経済性にも富む施設支柱固定装置を提供する。【解決手段】本発明に係る施設支柱固定装置によれば、施設支柱を固定するために基礎堀り作業、コンクリート打設などの複雑な作業なしに施設支柱固定具が回転によって地盤を掘り込んで地中に挿入され、施設支柱を施設支柱固定具の支柱嵌合部に嵌着して簡単に施設支柱を設置し、支柱枠、網体とパッキン部材、または支持杭により施設支柱を強固に固定・結合することができる。そのため、施設支柱を固定する作業の迅速性及び簡便性、効率性を図ることができ、コンクリート廃棄物の発生がなくて環境に優しく、経済性にも富んでおり、従来のコンクリート打設により施設支柱を固定する構成よりも極めて軽量的であるため運搬し難い地域や装備の進入が困難とされる与件下でも施工が可能である。【選択図】図１
2010101161.tif 000002
【特許請求の範囲】
【請求項１】
施設支柱を固定する施設支柱固定装置において、
前記施設支柱固定装置は、上部には内側に前記施設支柱（１０）が嵌着される空間部（２０１）を有する支柱嵌合部（２０）が形成され、下部には外周縁にネジ山（３０１）が形成される上広下狭のくさび部（３０）が形成されて地中に挿設される施設支柱固定具（１００）と、
前記支柱嵌合部（２０）の前記空間部（２０１）には前記施設支柱（１０）が嵌着されるように前記支柱嵌合部（３０）の内周縁に前記施設支柱（１０）の断面の形状に対応する形状に形成される支柱枠（４０）と、
を備えることを特徴とする施設支柱固定装置。
【請求項２】
施設支柱を固定する施設支柱固定装置において、
前記施設支柱固定装置は、上部には内側に前記施設支柱（１０）が嵌着される空間部（２０１）を有する支柱嵌合部（２０）が形成され、下部には外周縁にネジ山（３０１）が形成される上広下狭のくさび部（３０）が形成されて地中に挿設される施設支柱固定具（１００）と、
前記支柱嵌合部（２０）の前記空間部（２０１）には前記施設支柱（１０）が嵌着されるように前記支柱嵌合部（３０）の内周縁と前記施設支柱（１０）との間に挟着される網体（５０）と、
前記支柱嵌合部（３０）の内周縁と前記施設支柱（１０）との間に充填されるパッキン部材（６０）と、
を備えることを特徴とする施設支柱固定装置。
【請求項３】
施設支柱を固定する施設支柱固定装置において、
前記施設支柱固定装置は、上部には内側に前記施設支柱（１０）が嵌着される空間部（２０１）を有する支柱嵌合部（２０）が形成され、下部には外周縁にネジ山（３０１）が形成される上広下狭のくさび部（３０）が形成されて地中に挿設される施設支柱固定具（１００）と、
中央部に挿通孔部（７０１）が形成され、縁部に傾斜面（７０３）が形成され、前記傾斜面（７０３）に多数の支持杭通孔（７０２）が穿設される固定板（７０）と、
上部面にボルトヘッド（８０１）が形成され、下部外周縁にネジ山（８０２）が形成され、前記固定板（７０）の前記傾斜面（７０３）に形成された前記多数の支持杭通孔（７０２）に挿入されて地中に固定される支持杭（８０）と、
を備えることを特徴とする施設支柱固定装置。
【請求項４】
前記支持杭（８０）は、前記支持杭（８０）が交差する交差点の上側の長さよりも下側の長さの方を長くすることを特徴とする請求項１に記載の施設支柱固定装置。
【発明の詳細な説明】
【技術分野】
【０００１】
本発明は施設支柱固定装置に係り、さらに詳しくは、施設支柱を固定するために基礎堀り作業、コンクリート打設などの複雑な作業なしに施設支柱固定具が回転によって地盤を掘り込んで地中に挿入され、施設支柱を施設支柱固定具の支柱嵌合部に嵌着して簡単に施設支柱を設置し、支柱枠、網体とパッキン部材、または支持杭により施設支柱を強固に固定・結合することができて施設支柱を固定する作業の迅速性及び簡便性、効率性を図ることができ、コンクリート廃棄物の発生がなくて環境に優しく、しかも、経済性にも富む施設支柱固定装置に関する。
【背景技術】
【０００２】
一般的に、造景施設（子供遊び施設、運動器具、デッキ）、建築施設、道路施設（街灯、信号灯、電柱）、広告施設などを設置するときに照明や識別力を確保するために所定の高さの維持が必須的に求められるため支柱上に設置され、支柱は基礎部と結合されて地面に立設された状態の保持がなされるようにしている。より具体的には、まず、基礎コンクリート打設のために基礎堀り作業をし、この作業を通して形成された穴状の基礎にコンクリートを打設した後、養生して基礎部を形成するが、この基礎部の上面に支柱の下端フランジをボルト結合することにより一連の施設設置作業を完成することになる。
【０００３】
かような従来のコンクリート打設による施設の固定は、掘削機を用いた基礎堀りとコンクリート打設及び養生、養生後に基礎コンクリートにアンカーボルトを打ち込んで固定するなどの作業の煩雑さ及び不便さを来たすだけではなく、多くの作業工数と時間を要することにより作業の非効率性を招いてしまい、しかも、費用負担による経済性の低下を招くという不都合があった。また、湿地及び水空間などに打設する場合には水抜き作業などの工程が付加されて設置時間が長びき、生態系に被害を与える恐れがあるだけではなく、打設されたコンクリートを除去する場合にはコンクリート廃棄物の処理による環境汚染などの問題点があった。
【先行技術文献】
【特許文献】
【０００４】
【特許文献１】米国特許第７２６４２１０号明細書
【特許文献２】米国特許出願公開第２００４／０１６３３３６号明細書
【発明の概要】
【発明が解決しようとする課題】
【０００５】
本発明は上述した如き従来のコンクリート打設により施設の支柱を固定する構成の諸問題点を解決するためになされたものであり、その目的は、施設支柱を固定するために基礎堀り作業、コンクリート打設などの複雑な作業なしに施設支柱固定具が回転によって地盤を掘り込んで地中に挿入され、施設支柱を施設支柱固定具の支柱嵌合部に嵌着して簡単に施設支柱を設置し、支柱枠、網体とパッキン部材、または支持杭により施設支柱を強固に固定・結合することができて施設支柱を固定する作業の迅速性及び簡便性、効率性を図ることができ、コンクリート廃棄物の発生がなくて環境に優しく、しかも、経済性にも富む施設支柱固定装置を提供するところにある。
【課題を解決するための手段】
【０００６】
上記の目的を達成するために、本発明による施設支柱固定装置は、施設支柱を固定する施設支柱固定装置において、前記施設支柱固定装置は、上部には内側に前記施設支柱が嵌着される空間部を有する支柱嵌合部が形成され、下部には外周縁にネジ山が形成される上広下狭のくさび部が形成されて地中に挿設される施設支柱固定具と、前記支柱嵌合部の前記空間部には前記施設支柱が嵌着されるように前記支柱嵌合部の内周縁に前記施設支柱の断面の形状に対応する形状に形成される支柱枠と、を備えることを特徴とする。
【０００７】
一方、本発明による施設支柱固定装置は、施設支柱を固定する施設支柱固定装置において、前記施設支柱固定装置は、上部には内側に前記施設支柱が嵌着される空間部を有する支柱嵌合部が形成され、下部には外周縁にネジ山が形成される上広下狭のくさび部が形成されて地中に挿設される施設支柱固定具と、前記支柱嵌合部の前記空間部には前記施設支柱が嵌着されるように前記支柱嵌合部の内周縁と前記施設支柱との間に嵌入する網体と、前記支柱嵌合部の内周縁と前記施設支柱との間に充填されるパッキン部材と、を備えることを特徴とする。
【０００８】
一方、本発明による施設支柱固定装置は、施設支柱を固定する施設支柱固定装置において、前記施設支柱固定装置は、上部には内側に前記施設支柱が嵌着される空間部を有する支柱嵌合部が形成され、下部には外周縁にネジ山が形成される上広下狭のくさび部が形成されて地中に挿設される施設支柱固定具と、中央部に挿通孔部が形成され、縁部に傾斜面が形成され、前記傾斜面に多数の支持杭通孔が穿設される固定板と、上部面にボルトヘッドが形成され、下部外周縁にネジ山が形成され、前記固定板の前記傾斜面に形成された前記多数の支持杭通孔に挿入されて地中に固定される支持杭と、を備えることを特徴とする。
【０００９】
また、本発明による施設支柱固定装置において、前記支持杭は、前記支持杭が交差する交差点の上側の長さよりも下側の長さの方を長くすることを特徴とする。
【発明の効果】
【００１０】
本発明に係る施設支柱固定装置によれば、施設支柱を固定するために基礎堀り作業、コンクリート打設などの複雑な作業なしに施設支柱固定具が回転によって地盤を掘り込んで地中に挿入され、施設支柱を施設支柱固定具の支柱嵌合部に嵌着して簡単に施設支柱を設置し、支柱枠、網体とパッキン部材、または支持杭により施設支柱を強固に固定・結合することができて施設支柱を固定する作業の迅速性及び簡便性、効率性を図ることができ、コンクリート廃棄物の発生がなくて環境に優しく、しかも、経済性にも富んでおり、従来のコンクリート打設により施設支柱を固定する構成よりも極めて軽量的であるため運搬し難い地域や装備の進入が困難とされる与件下でも施工が可能である。
【図面の簡単な説明】
【００１１】
【図１】本発明による施設支柱固定装置の施設支柱固定具の斜視図。
【図２】（ａ）、（ｂ）及び（ｃ）は本発明による施設支柱固定装置の横断面図。
【図３】本発明による施設支柱固定装置の部分縦断面図。
【図４】本発明による施設支柱固定装置の他の実施形態の部分縦断面図。
【図５Ａ】本発明による施設支柱固定装置の他の実施形態の使用状態図。
【図５Ｂ】本発明による施設支柱固定装置の他の実施形態の使用状態図。
【発明を実施するための形態】
【００１２】
以下、添付図面に基づき、本発明による施設支柱固定装置を詳述する。
図１は、本発明による施設支柱固定装置の施設支柱固定具の斜視図であり、図２の（ａ）〜（ｃ）は、本発明による施設支柱固定装置の横断面図であり、図３は、本発明による施設支柱固定装置の部分縦断面図であり、図４は、本発明による施設支柱固定装置の他の実施形態の部分縦断面図であり、そして図５Ａ及び図５Ｂは、本発明による施設支柱固定装置の他の実施形態の使用状態図である。
【００１３】
本発明による施設支柱固定装置は、図１から図３に示すように、施設支柱を固定する施設支柱固定装置において、前記施設支柱固定装置は、上部には内側に前記施設支柱１０が嵌着される空間部２０１を有する支柱嵌合部２０が形成され、下部には外周縁にネジ山３０１が形成される上広下狭のくさび部３０が形成されて地中に挿設される施設支柱固定具１００と、前記支柱嵌合部２０の前記空間部２０１には前記施設支柱１０が嵌着されるように前記支柱嵌合部３０の内周縁に前記施設支柱１０の断面の形状に対応する形状に形成される支柱枠４０と、から構成されることを特徴とする。
【００１４】
これによれば、前記施設支柱固定具１００は、前記空間部２０１を有する中空円錐状の鋼管体から形成され、外周縁に下端の頂点から所定の高さまで前記ネジ山３０１が形成され、掘削機などの機械を用いて前記施設支柱固定具１００を加圧及び回転して施工するものであり、別途の基礎堀り、コンクリート打設作業なしに前記ネジ山３０１により回転しながら直接的に地面を掘り込んで地中に埋設できるように形成されて地盤との摩擦力が増大されて支持力が極大化可能であり、前記支柱嵌合部２０の内部は空いていて前記空間部２０１が形成されて前記施設支柱１０が嵌着されて前記施設支柱１０を固定することになる。
【００１５】
また、このように前記施設支柱固定具１００を直接的に回転させながら地中に埋設することができ、先ず、前記施設支柱固定具１００の直径よりもやや小さな直径を有する穿孔ビットを用いて穿孔をした後に、前記施設支柱固定具１００を地中に埋設すると、より少ない力で施工が可能である。
【００１６】
さらに、前記施設支柱固定具１００は、前記支柱嵌合部２０と前記くさび部３０が一体に形成されるようにする他に、雌雄ネジの結合によって相互結合されるように形成することにより前記施設支柱固定具１００を地中から引き抜いてリサイクルしようとするとき前記くさび部３０の前記ネジ山３０１が使用により磨耗されて使用できなくなった場合には前記くさび部３０だけを取り替えて再利用することが可能になる。
【００１７】
さらに、前記施設支柱固定具１００は、地中に安定的で且つ強固に固定できるように十分な長さを有するようにし、前記ネジ山３０１は、地面の状態を考慮して十分な強度と厚さを有するように形成することが好ましい。
【００１８】
さらに、前記支柱嵌合部２０の上端部は外側に折り曲げられてフランジ部２０３が形成されるようにして前記施設支柱固定具１００を地中に埋設時に前記フランジ部２０３により地面に引っかかるようにして前記施設支柱固定具１００の全体が施設の荷重により地中に埋もれないようにすることが好ましい。
【００１９】
さらに、コンクリート打設によって施設の支柱を固定する構成においては、施設を撤去する場合には打設されたコンクリートは建築廃棄物として処理しなければならないが、本発明による前記施設支柱固定具１００は、施設を撤去する場合に埋設された前記施設支柱固定具１００をさらに引き抜いてリサイクルできるようになり、環境に優しく、且つ、経済性にも富んでいる。
【００２０】
さらに、本発明による施設支柱固定装置の前記施設支柱固定具１００は、図２及び図３に示すように、前記支柱嵌合部２０の前記空間部２０１には前記施設支柱１０が嵌着されるように前記支柱嵌合部３０の内周縁に前記施設支柱１０の断面に対応する形状に形成される支柱枠４０から構成されることを特徴とする。
【００２１】
これによれば、前記支柱枠４０は、様々な形状の前記施設支柱１０をより強固に固定することが可能になる。すなわち、前記施設支柱１０、特に、造景施設の支柱は造景のために円筒状、四角形、菱形など種々の多角形の形状を有するが、この場合や、前記施設支柱１０の幅または直径が前記支柱嵌合部２０よりも小さな場合に、前記支柱嵌合部２０の前記空間部に前記施設支柱１０の断面の形状に対応する形状に前記支柱枠４０を前記支柱嵌合部２０と一体に形成するか、あるいは、前記支柱枠４０を前記空間部２０１に嵌合して前記支柱枠４０の内側に前記支柱１０が前記支柱枠４０に一致するように嵌着されることにより、前記施設支柱１０をより強固に固定することが可能になる。
【００２２】
また、前記施設支柱固定具１００は、図１及び図３に示すように、前記支柱嵌合部２０の上側外周縁に通孔２０２が貫設されて前記通孔２０２に合うパイプなどを貫入してこれを回転することにより、別途の施工機械なしに簡単に前記施設支柱固定具１００を地中に埋設することが可能になる。
【００２３】
一方、本発明による施設支柱固定装置は、図４に示すように、施設支柱を固定する施設支柱固定装置において、前記施設支柱固定装置は、上部には内側に前記施設支柱１０が嵌着される空間部２０１を有する支柱嵌合部２０が形成され、下部には外周縁にネジ山３０１が形成される上広下狭のくさび部３０が形成されて地中に挿設される施設支柱固定具１００と、前記支柱嵌合部２０の前記空間部２０１には前記施設支柱１０が嵌着されるように前記支柱嵌合部３０の内周縁と前記施設支柱１０との間に挟着される網体５０と、前記支柱嵌合部３０の内周縁と前記施設支柱１０との間に充填されるパッキン部材６０と、から構成されることを特徴とする。
【００２４】
これによれば、前記施設支柱固定具１００は、前記空間部２０１を有する中空円錐状の鋼管体から形成され、外周縁に下端の頂点から所定の高さまで前記ネジ山３０１が形成され、掘削機などの機械を用いて前記施設支柱固定具１００を加圧及び回転して施工するものであり、別途の基礎堀り、コンクリート打設作業なしに前記ネジ山３０１により回転しながら直接的に地面を掘り込んで地中に埋設できるように形成されて地盤との摩擦力が増大されて支持力が極大化可能であり、前記支柱嵌合部２０の内部は空いていて前記空間部２０１が形成されて前記施設支柱１０が嵌着され、前記施設支柱１０の幅または直径が前記支柱嵌合部２０よりも小さいか、あるいは、地面と垂直が合わない場合に前記支柱嵌合部２０と前記嵌着された施設支柱１０との間の空き空間に砂利、パッキンなどの前記パッキン部材６０が充填されて前記施設の支柱１０を支持することになるが、前記パッキン部材６０は、前記支柱嵌合部２０と前記嵌着された施設支柱１０との間の空き空間に挟着された鉄網などの前記網体５０の隙間に充填され、前記網体５０が前記パッキン部材６０同士を強固に結束することにより前記施設支柱１０は前記支柱嵌合部２０に強固に固定・結合される。
【００２５】
一方、本発明による施設支柱固定装置は、図５Ａに示すように、施設支柱を固定する施設支柱固定装置において、前記施設支柱固定装置は、上部には内側に前記施設支柱１０が嵌着される空間部２０１を有する支柱嵌合部２０が形成され、下部には外周縁にネジ山３０１が形成される上広下狭のくさび部３０が形成されて地中に挿設される施設支柱固定具１００と、中央部に挿通孔部７０１が形成され、縁部に傾斜面７０３が形成され、前記傾斜面７０３に多数の支持杭通孔７０２が形成される固定板７０と、上部面にボルトヘッド８０１が形成され、下部外周縁にネジ山８０２が形成され、前記固定板７０の前記傾斜面７０３に形成された前記多数の支持杭通孔７０２に挿入されて地中に固定される支持杭８０と、から構成されることを特徴とする。
【００２６】
これによれば、前記固定板７０は、図５Ａ及び図５Ｂに示すように、所定の厚さをもって前記施設固定具１００を固定・支持することになるが、先ず、施設を施工しようとする場所に前記固定板７０を置き、前記施設固定具１００を前記固定板７０の前記挿通孔部７０１に挿入して上端部が前記挿通孔部７０１に嵌合するまで加圧及び回転して地中に挿設した後、前記施設支柱１０を前記施設固定具１００の前記支柱嵌合部２０に挿入することにより前記施設支柱１０を固定・支持することになる。
【００２７】
すなわち、前記施設支柱固定具１００は、前記空間部２０１を有する中空円錐状の鋼管体から形成され、外周縁に下端の頂点から所定の高さまで前記ネジ山３０１が形成され、掘削機などの機械を用いて前記施設支柱固定具１００を加圧及び回転して施工するものであり、別途の基礎堀り、コンクリート打設作業なしに前記ネジ山３０１により回転しながら直接的に地面を掘り込んで地中に埋設できるように形成されて地盤との摩擦力が増大されて支持力が極大化可能であり、前記支柱嵌合部２０の内部は空いていて前記空間部２０１が形成されて前記施設支柱１０が嵌着され、前記固定板７０は前記施設固定具１００及び前記施設支柱１０が揺れないように強固に固定・支持することになる。
【００２８】
また、前記支持杭８０は、図５Ａに示すように、前記固定板７０の前記傾斜面７０３に形成された前記支持杭通孔７０２に前記傾斜面７０３の傾斜に見合う所定の角度で斜めに挿入して前記ボルトヘッド８０１が前記固定板７０に引っ掛かるまで加圧及び回転によって地中に挿設されて前記固定板７０を強固に固定するが、前記傾斜面７０３の傾斜に見合う所定の角度で斜めに挿着した方が、垂直に地中に挿設される場合より一層強固に固定される。
【００２９】
また、本発明による施設支柱固定装置は、図５Ｂに示すように、前記支持杭８０は前記支持杭８０が交差する交差点の上側の長さよりも下側の長さを長くすることを特徴とする。
【００３０】
これによれば、前記支持杭８０の長さを十分に長くして前記支持杭８０が交差する交差点の上側の長さよりも下側の長さを長くする場合には、てこの原理により施設の荷重が分散される効果があり、前記固定板７０をはじめとする前記施設固定具１００が施設の荷重により地中に陥入されることを防止することができて、地盤が弱いとされる土砂地域や湿地または沼地などの種々の作業環境に適用可能である。
【００３１】
一方、本発明はそれに関する最良の構成状態を列挙しているが、本発明はこれに制限されるものではなく、特許請求の範疇を逸脱することなく実施可能であれば、上述した構成例の変更を考慮することができるということはいうまでもない。
【符号の説明】
【００３２】
１０……施設支柱、
２０……支柱嵌合部、
２０１……空間部、
２０２……通孔、
２０３……フランジ部、
３０……くさび部、
３０１……ネジ山、
４０……支柱枠、
５０……網体、
６０……パッキン部材、
７０……固定板、
７０１……挿通孔部、
７０２……支持杭通孔、
７０３……傾斜面、
８０……支持杭、
８０１……ボルトヘッド、
８０２……ネジ山、
１００……施設支柱固定具。
【図１】
2010101161.tif 000003
【図２】
2010101161.tif 000004
【図３】
2010101161.tif 000005
【図４】
2010101161.tif 000006
【図５Ａ】
2010101161.tif 000007
【図５Ｂ】
2010101161.tif 000008